(57)【要約】【課題】雄ルアーを有する側と雌ルアーを有する側のコネクタの嵌合が緩むことがなく低コストである医療用コネクタを提供する。【解決手段】雄ルアー部１２と、筒部１４と、環状凸部１６とを備える筒状のコネクタ本体１８と、内周面に環状凸部１６よりも大径の雌ねじ部２０が設けられ、後端部２２に筒部１４よりも大径で環状凸部１６よりも小径の環状壁部２４が設けられたロック部２６とを備え、雌ルアー部２８と、雄ねじ部３２とを有する他のコネクタ３４に接続される際に、雄ルアー部１２を雌ルアー部２８に挿入し、雌ねじ部２０と雄ねじ部３２とを螺合することにより接続を行う医療用コネクタにおいて、環状凸部１６、雌ねじ部２０と雄ねじ部３２とが螺合された際に、環状壁部２４の内周面と環状凸部１６の外周面とが嵌合する嵌合部３６と、環状壁部２４の前面と環状凸部１６の後面とが当接して抜けることを抑止する抑止部３８とを設けた。【選択図】図１
0003151344.tif 000002
【実用新案登録請求の範囲】
【請求項１】
医療用輸液管の接続に用いられる医療用コネクタであって、
前方に向かって縮径する雄ルアー部と、雄ルアー部の後方側に設けられた筒部と、雄ルアー部と筒部との境界に設けられた環状凸部とを備える筒状のコネクタ本体と、
筒状の部材であって、内周面に前記環状凸部よりも大径の雌ねじ部が設けられ、後端部に前記筒部よりも大径で前記環状凸部よりも小径の環状壁部が設けられたロック部とを備え、
雌ルアー部と、その前端部に雄ねじ部とを有する他のコネクタに接続される際に、前記雄ルアー部を前記雌ルアー部に挿入し、前記雌ねじ部と前記雄ねじ部とを螺合することにより接続を行う医療用コネクタにおいて、
前記環状凸部または前記環状壁部に、前記雌ねじ部と前記雄ねじ部とが螺合された際に、前記環状壁部の内周面と前記環状凸部の外周面とが嵌合する嵌合部と、前記環状壁部の前面と前記環状凸部の後面とが当接して抜けることを抑止する抑止部とを設けたことを特徴とする医療用コネクタ。
【請求項２】
前記嵌合部及び抑止部が前記環状凸部に設けられ、
前記嵌合部は、前記環状壁部が無理嵌めの状態で嵌合可能に前記環状壁部よりも大径に形成され、
前記抑止部は、前記嵌合部よりも前方位置で、前記雌ねじ部の内径よりも小径に、且つ前記嵌合部よりも大径に形成されていることを特徴とする請求項１に記載の医療用コネクタ。
【請求項３】
前記嵌合部が前記筒部の外周面に放射状に突出する複数の突起であることを特徴とする請求項２に記載の医療用コネクタ。
【請求項４】
前記嵌合部及び抑止部が前記環状壁部に設けられ、
前記嵌合部は、前記環状凸部が無理嵌めの状態で嵌合可能なように前記環状壁部よりも小径に形成され、
前記抑止部は、前記嵌合部よりも後方位置で、前記嵌合部よりも小径に形成されていることを特徴とする請求項１に記載の医療用コネクタ。
【考案の詳細な説明】
【技術分野】
【０００１】
本考案は、医療用輸液管の接続に用いられる医療用コネクタに関する。
【背景技術】
【０００２】
従来より、第１に、図５に示すように、医療用輸液管の接続に用いられる医療用コネクタであって、前方に向かって縮径する雄ルアー部１００と、雄ルアー部１００の後方側に設けられた筒部１０２と、雄ルアー部１００と筒部１０２との境界に設けられた環状凸部１０４とを備える筒状のコネクタ本体と、筒状の部材であって、内周面に環状凸部１０４よりも大径の雌ねじ部が設けられ、後端部に筒部よりも大径で環状凸部１０４よりも小径の環状壁部１０６が設けられたロック部１０８とを備え、雌ルアー部と、その前端部に雄ねじ部とを有する他のコネクタに接続される際に、雄ルアー部１００を雌ルアー部に挿入し、雌ねじ部と雄ねじ部とを螺合することにより接続を行う医療用コネクタにおいて、環状凸部１０４に、雌ねじ部と雄ねじ部とが螺合された際に、環状壁部１０６の内周面と環状凸部１０４の外周面とが嵌合する嵌合部とを設けた医療用コネクタが知られている。
【０００３】
第２に、オスコネクタのテーパー状突起部を、メスコネクタのテーパー状管状体に挿入し、固定具を回転させて、オスコネクタとメスコネクタの接合部を外周から締め付ける際に、固定具の係止部がオスコネクタの第二の係止部を乗り越えて、オスコネクタの溝部に係止され、かつオスコネクタの第二の係止部と固定具の螺合部が螺合するように形成した接続部材が知られている（特許文献１参照）。
【先行技術文献】
【特許文献】
【０００４】
【特許文献１】実用新案登録第３１０８８２５号公報
【考案の概要】
【考案が解決しようとする課題】
【０００５】
しかし、前者の場合、環状凸部が環状壁部に対して低ければ、ロック部を強く締め付けた場合や医療用管具を引っ張られたような場合、環状壁部を有するロック部が環状凸部を乗り越えてしまう可能性があり、その場合には、雄ルアーを有する側と雌ルアーを有する側のコネクタの嵌合が緩んでしまう。一方、環状凸部が環状壁部に対して高ければ、ロック部の雌ねじと雌ルアーの雄ねじのかみ合いが不十分となる可能性があり、その場合には同様に、雄ルアーを有する側と雌ルアーを有する側のコネクタの嵌合が緩んでしまうという問題がある。
【０００６】
一方、後者の場合、固定具に形成されている螺合部の形状が複雑であると共に所定の長さが必要であり固定具を製作する際にコストが嵩むという問題がある。
【０００７】
本考案は、雄ルアーを有する側と雌ルアーを有する側のコネクタの嵌合が緩むことがなく、かつ、低コストである医療用コネクタを提供することを目的とする。
【課題を解決するための手段】
【０００８】
本考案の医療用コネクタは、医療用輸液管の接続に用いられる医療用コネクタであって、前方に向かって縮径する雄ルアー部と、雄ルアー部の後方側に設けられた筒部と、雄ルアー部と筒部との境界に設けられた環状凸部とを備える筒状のコネクタ本体と、筒状の部材であって、内周面に前記環状凸部よりも大径の雌ねじ部が設けられ、後端部に前記筒部よりも大径で前記環状凸部よりも小径の環状壁部が設けられたロック部とを備え、雌ルアー部と、その前端部に雄ねじ部とを有する他のコネクタに接続される際に、前記雄ルアー部を前記雌ルアー部に挿入し、前記雌ねじ部と前記雄ねじ部とを螺合することにより接続を行う医療用コネクタにおいて、前記環状凸部または前記環状壁部に、前記雌ねじ部と前記雄ねじ部とが螺合された際に、前記環状壁部の内周面と前記環状凸部の外周面とが嵌合する嵌合部と、前記環状壁部の前面と前記環状凸部の後面とが当接して抜けることを抑止する抑止部とを設けたことを特徴とする。
【０００９】
本考案では、環状凸部または環状壁部に、雌ねじ部と雄ねじ部とが螺合された際に、環状壁部の内周面と環状凸部の外周面とが嵌合する嵌合部と、環状壁部の前面と環状凸部の後面とが当接し、抜けることを抑止する抑止部とを設けた。即ち、雄ルアーを有する側と雌ルアーを有する側を接続すると、環状凸部または環状壁部が嵌合すると共に、環状壁部の前面と環状凸部の後面とが当接して抜けることが簡素な構造で抑止される。従って、雄ルアーを有する側と雌ルアーを有する側のコネクタの嵌合が緩むことがなく、かつ、低コストである医療用コネクタを提供することができる。
【００１０】
本考案の医療用コネクタにおいて、前記嵌合部及び抑止部が前記環状凸部に設けられ、前記嵌合部は、前記環状壁部が無理嵌めの状態で嵌合可能なように前記環状壁部よりも大径に形成され、前記抑止部は、前記嵌合部よりも前方位置で、前記雌ねじ部の内径よりも小径に、且つ前記嵌合部よりも大径に形成されていることが好ましい。
【００１１】
この好ましい形態によれば、環状凸部に嵌合部及び抑止部を形成することで、雄ルアーを有する側と雌ルアーを有する側のコネクタの嵌合が緩むことがなく低コストである医療用コネクタを提供することができる。
【００１２】
また、本考案の医療用コネクタにおいて、前記嵌合部が前記筒部の外周面に放射状に突出する複数の突起であることが好ましい。
【００１３】
この好ましい形態によれば、環状壁部と環状凸部との接触面積が小さくなり摩擦が少なくなるため、環状凸部と環状壁部との嵌合がスムーズになる。
【００１４】
また、本考案の医療用コネクタにおいて、前記嵌合部及び抑止部が前記環状壁部に設けられ、前記嵌合部は、前記環状凸部が無理嵌めの状態で嵌合可能なように前記環状壁部よりも小径に形成され、前記抑止部は、前記嵌合部よりも後方位置で、前記嵌合部よりも小径に形成されていることが好ましい。
【００１５】
この好ましい形態によれば、環状壁部に嵌合部及び抑止部を形成することで、雄ルアーを有する側と雌ルアーを有する側のコネクタの嵌合が緩むことがなく低コストである医療用コネクタを提供することができる。
【図面の簡単な説明】
【００１６】
【図１】本考案に係る医療用コネクタの一例を示す縦断面図である。
【図２】本考案に係る医療用コネクタの使用例を示す図である。
【図３】第２実施形態の医療用コネクタ本体を示す図である。
【図４】第３実施形態の医療用コネクタを示す図である。
【図５】従来の医療用コネクタを説明するための図である。
【考案を実施するための形態】
【００１７】
[第１実施形態]
図１は、本考案に係る医療用コネクタの一例を示す縦断面図である。第１実施形態の医療用コネクタ１０は、前方に向かって縮径する雄ルアー部１２と、雄ルアー部１２の後方側に設けられた筒部１４と、雄ルアー部１２と筒部１４との境界に設けられた環状凸部１６とを備える筒状のコネクタ本体１８と、筒状の部材であって、内周面に環状凸部１６よりも大径の雌ねじ部２０が設けられ、後端部２２に筒部１４よりも大径で環状凸部１６よりも小径の環状壁部２４が設けられたロック部２６とを備えている。
【００１８】
医療用コネクタ１０は、雌ルアー部２８と、その前端部３０に雄ねじ部３２とを有する他のコネクタ３４に接続される。この場合には、雄ルアー部１２を雌ルアー部２８に挿入し、雌ねじ部２０と雄ねじ部３２とを螺合することにより接続される。
【００１９】
医療用コネクタ１０は、環状凸部１６に、雌ねじ部２０と雄ねじ部３２とが螺合された際に、環状壁部２４の内周面と環状凸部１６の外周面とが嵌合する嵌合部３６と、環状壁部２４の前面と環状凸部１６の後面とが当接して抜けることを抑止する抑止部３８とが設けられている。
【００２０】
医療用コネクタ１０には、医療用コネクタ１０の内部と連通してチューブ４０が一体的に設けられている。
【００２１】
医療用コネクタ本体１８には、後端部４２側にロック部２６が脱落しないように、筒部１４から突出して所定の厚さを有する張出部４４，４４が形成されている。
【００２２】
ロック部２６には、医療用コネクタ本体１８の張出部４４，４４に対応してロック部２６を挿入するための不図示の凹部が形成されている。
【００２３】
他のコネクタ３４には、他のコネクタ３４の内部と連通してチューブ４６が一体的に設けられている。
【００２４】
また、他のコネクタ３４には、医療用コネクタ１０との接続を良好にするための把持部４８，４８が外周から所定の厚さで突出して形成されている。
【００２５】
次に、図２を参照して本考案に係る医療用コネクタの使用例を説明する。この使用例は、三方活栓を介して薬液を人体に輸液する例である。Ａ方向に存在する薬液が、チューブ１８からコネクタ５０を介して三方活栓５２に流入する。三方活栓５２のレバー５４が所定方向に向いている場合に、三方活栓５２に流入した薬液が、本考案に係る医薬用コネクタ１０を介してＢ方向に存在する人体に輸液される。
【００２６】
この使用例において、他のコネクタ３４は、チューブ４６および把持部４８，４８を省略することができる。
【００２７】
本実施形態の医療用コネクタ１０によれば、環状凸部１６に、雌ねじ部２０と雄ねじ部３２とが螺合された際に、環状壁部２４の内周面と環状凸部１６の外周面とが嵌合する嵌合部３６と、環状壁部２４の前面と環状凸部１６の後面とが当接して抜けることを抑止する抑止部３８とを設けた。即ち、雄ルアー１２を有する側と雌ルアー２８を有する側を接続すると、環状凸部１６と環状壁部２４が嵌合すると共に、環状壁部２４の前面と環状凸部１６の後面とが当接して抜けることが抑止される。従って、雄ルアー１２を有する側と雌ルアー２８を有する側のコネクタの嵌合が緩むことがなく低コストである医療用コネクタを提供することができる。
【００２８】
[第２実施形態]
次に、本考案の医療用コネクタにおける第２実施形態について説明する。第２実施形態は、図３に示す医療用コネクタを備えるものである。
【００２９】
本実施形態における医療用コネクタ本体５６は、第１実施形態における医療用コネクタ本体１８の環状凸部１６を、筒部１４の外周面に円周上の対向する２個所の凸部５８としたものである。
【００３０】
なお、環状凸部１６の凸部５８は、筒部１４の外周面に放射状に突出する複数の突起とすることができる。
【００３１】
本実施形態の医療用コネクタ１０によれば、環状凸部１６と環状壁部２４との接触面積が小さくなり摩擦が少なくなるため、環状凸部１６と環状壁部２４との嵌合がスムーズになる。
【００３２】
[第３実施形態]
次に、本考案の医療用コネクタにおける第３実施形態について説明する。第３実施形態は、図４に示す医療用コネクタを備えるものである。
【００３３】
本実施形態における医療用コネクタ６０は、第１実施形態における医療用コネクタ１０のロック部２６をロック部６２としたものである。
【００３４】
医療用コネクタ６０は、環状壁部６４に、雌ねじ部２０と雄ねじ部３２とが螺合された際に、環状壁部２４の内周面と環状凸部１６の外周面とが嵌合する嵌合部３６と、環状壁部２４の前面と環状凸部１６の後面とが当接して抜けることを抑止する抑止部３８とが設けられている。
【００３５】
本実施形態の医療用コネクタ６０によれば、環状壁部６４に嵌合部３６及び抑止部３８を形成することで、雄ルアー１２を有する側と雌ルアー２８を有する側のコネクタの嵌合が緩むことがなく低コストである医療用コネクタを提供することができる。
【符号の説明】
【００３６】
１０…医療用コネクタ、１２…雄ルアー部、１４…筒部、１６…環状凸部、１８…医療用コネクタ本体、２０…雌ねじ部、２２…後端部、２４…環状壁部、２６…ロック部、２８…雌ルアー部、３０…前端部、３２…雄ねじ部、３４…他のコネクタ、３６…嵌合部、３８…抑止部、４０…チューブ、４２…後端部、４４…張出部、４６…チューブ、４８…把持部、５０…コネクタ、５２…三方活栓、５４…レバー、５６…医療用コネクタ本体、５８…凸部、６０…医療用コネクタ、６２…ロック部。
【図１】
0003151344.tif 000003
【図２】
0003151344.tif 000004
【図３】
0003151344.tif 000005
【図４】
0003151344.tif 000006
【図５】
0003151344.tif 000007